(57)【要約】【課題】机上面の端部に垂直に表示装置を設置する構成において、机上面の作業領域を広く確保することができ、かつ机を壁際に設置したときに机と壁との間に不要な空間が生じないようする。【解決手段】表示装置付机（１）は、机の天板（１１）と、天板（１１）の上面の一方の端部に、表示装置（２０）の表示画面を天板（１１）の反対側の端部に向けて、天板（１１）に対して垂直に表示装置（２０）が設置され、上端部に表示装置（２０）が取り付けられる１または複数のジョイント（３０）と、それぞれのジョイント（３０）を取り付ける平板状のベース金具（３０）とを有し、ベース金具（３０）は、天板（１１）に固定されている。【選択図】図１Ｂ
2017042502.tif 000002
【特許請求の範囲】
【請求項１】
机の天板と、該天板の上面の一方の端部に、表示装置の表示画面を前記天板の反対側の端部に向けて、前記表示装置を設置した表示装置付机であって、
上端部に前記表示装置が取り付けられる１または複数のジョイントと、
それぞれの該ジョイントを取り付ける平板状のベース金具とを有し、
前記ベース金具は、前記天板に固定されていることを特徴とする表示装置付机。
【請求項２】
請求項１に記載の表示装置付机において、
前記ベース金具は、前記天板の上側表面に固定されていることを特徴とする表示装置付机。
【請求項３】
請求項１に記載の表示装置付机において、
前記表示装置を設置する領域に１または複数の貫通孔を有し、それぞれの該貫通孔に対して前記天板の下方から前記天板の上方に向けて前記ジョイントが挿通され、前記天板の下面には、前記ジョイントが取り付けられたベース金具が固定され、
前記ジョイントの上端部に、前記表示装置が取り付けられていることを特徴とする表示装置付机。
【請求項４】
請求項１〜３のいずれか１に記載の表示装置付机において、前記ジョイントは、前記表示装置の水平方向に一致する方向に位置調整が可能に、前記ベース金具に取り付けられていることを特徴とする表示装置付机。
【請求項５】
請求項１〜４のいずれか１に記載の表示装置付机において、前記ジョイントを複数有し、前記ベース金具は、前記ジョイントのそれぞれに応じて複数備えられ、各前記ベース金具に対して、それぞれ前記ジョイントが取り付けられていることを特徴とする表示装置付机。
【請求項６】
請求項１〜５のいずれか１に記載の表示装置付机において、前記ジョイントは、前記天板に対する前記表示装置の高さを調整可能としたことを特徴とする表示装置付机。
【請求項７】
請求項１〜６のいずれか１に記載の表示装置付机において、前記ベース金具は、前記天板の下面から下方に曲折して、前記表示装置付学習机が設置される床面まで到達するように延伸され、さらに先端部が前記床面に沿って曲折され、前記床面に部分的に接触するように形成されていることを特徴とする表示装置付机。
【請求項８】
請求項７に記載の表示装置付机において、前記ベース金具は、前記天板の下面から前記床面に沿って曲折される部分までの長さが調整可能であることを特徴とする表示装置付机。
【請求項９】
天板を有し、該天板の上面の一方の端部の所定位置に、表示装置の表示画面を前記天板の反対側の端部に向けて、前記表示装置を設置可能な机であって、
上端部に前記表示装置が取り付けられる１または複数のジョイントと、
それぞれの該ジョイントを取り付ける平板状のベース金具とを有し、
前記ベース金具は、前記天板に固定されていることを特徴とする机。
【発明の詳細な説明】
【技術分野】
【０００１】
本発明は、表示装置付机および表示装置を設置可能な机に関し、より詳細には、机上面に対して表示装置を設置した表示装置付机および表示装置を設置可能な机に関する。
【背景技術】
【０００２】
教育環境自体のＩＴ（Information Technology）化として、タブレット等の情報端末の１人１台配備、学校の高速ブロードバンド接続、電子黒板、無線ＬＡＮ環境整備、デジタル教科書・教材の活用等、初等教育段階から教育環境自体のＩＴ化を進め、児童生徒等の学力の向上とＩＴリテラシーの向上を図る、との政府案が検討されている。これらの取り組みにより、２０１０年代中には、全ての小学校、中学校、高等学校、特別支援学校で教育環境のＩＴ化を実現するものとされている。
【０００３】
学習環境を整える学習机に関して、例えば学習机に設置した表示装置に教材等の画像を適宜表示させながら学習を行うようにすることが考えられる。
例えば特許文献１には、平面視矩形状の天板と、その左右両端を支持する脚または袖キャビネットを備え、天板の位置側端部の近傍にブラケット手段を設け、このブラケット手段に液晶モニターを取り付けた構成の机が開示されている。この机は、天板を脚または袖キャビネットの上面から突出させた前後の受け部材で支持している。これにより、天板と脚または袖キャビネットとの間に空間が空いている。また液晶モニターを取り付けるブラケット手段は、天板と脚または袖キャビネットとの間の空間のうち、前後の受け部材の間に嵌め入れられる嵌入部を備え、その陥入部は、受け部材を介して天板が脚または袖キャビネットに固定されている状態で、これらの間の空間に嵌め入れられてから受け部材に固定されている。
【０００４】
また、特許文献２には、テレビ用の転倒防止装置が開示されている。この転倒防止装置は、テレビ本体の液晶表示画面部枠体の上下各々の左右に、係合止め用の鍵型アームを先部に形成した第一水平支持アーム及び第二水平支持アームと、液晶表示画面部枠体の後部の左右に先端部を当接係合具で係合連結した第三水平支持アームと、液晶表示画面部枠体の後方で前記第一・第二・第三水平支持アームの後部をアーム連結具で上下と前後に位置調節可能に支持連結するスタンドアームと、スタンドアームの下部を連結支持するスタンド連結具とを有し、スタンド連結具に水平旋回用アームと固定台を介して載置台に連結した構成を有している。
【先行技術文献】
【特許文献】
【０００５】
【特許文献１】特開２００５−８７６２６号公報
【特許文献２】特開２０１２−２３５４３３号公報
【発明の概要】
【発明が解決しようとする課題】
【０００６】
上記のように学習机の上に液晶ディスプレイ等の表示装置を置き、表示装置に教材等の画像を適宜表示させながら学習を行うようにすることができる。机の上に表示装置を設置する場合、従来では、表示装置を自立させることができる付属のスタンドを、そのまま机上に配置するか、あるいは例えば市販のモニターアームを使用して、そのモニターアームの端部を表示装置の金具に取り付けるとともに、モニターアームの逆側の端部を机に固定する手法が採られる。
【０００７】
しかしながら、付属のスタンドをそのまま机上に配置する場合は、机の天板の表面の一定の領域をスタンドが占有してしまうため、ユーザが実際に学習や作業等に使用することができる領域を狭めてしまうという課題がある。また、モニターアームを使用して表示装置を机に固定する場合、表示装置の背面にモニターアームとの接続部が配置され、机にもモニターアームの取り付け部品が取り付けられるため、机を壁際に置くときに、机と壁との間で隙間が生じないように配置することができない。
【０００８】
上記特許文献１の机は、付属のスタンドを使用しない状態でブラケット手段により液晶モニターを机に取り付けることができる。しかしながら、液晶モニターをブラケットに固定するための固定部および接続金具が机の端面から机上面の外側に突出している。このため、机を壁際に置くときに、机と壁との間で隙間が生じないように配置することができない。また、特許文献２の転倒防止装置では、表示装置に背面側に保持用の金具を取り付け、杖の表面にボルトで固定している。この場合にも机を壁際に置くときに、机と壁との間で隙間が生じないように配置することができない。
【０００９】
本発明は、上述のごとき実情に鑑みてなされたものであり、机上面の端部に表示装置を設置する構成において、机上面の作業領域を広く確保することができ、かつ机を壁際に設置したときに机と壁との間に不要な空間が生じないようすることができる表示装置付机および表示装置を設置可能な机を提供することを目的とする。
【課題を解決するための手段】
【００１０】
上記課題を解決するために、本発明の第１の技術手段は、机の天板と、該天板の上面の一方の端部に、表示装置の表示画面を前記天板の反対側の端部に向けて、前記表示装置を設置した表示装置付机であって、上端部に前記表示装置が取り付けられる１または複数のジョイントと、それぞれの該ジョイントを取り付ける平板状のベース金具とを有し、前記ベース金具は、前記天板に固定されていることを特徴としたものである。
【００１１】
第２の技術手段は、第１の技術手段において、前記ベース金具は、前記天板の上側表面に固定されていることを特徴としたものである。
【００１２】
第３の技術手段は、第１の技術手段において、前記表示装置を設置する領域に１または複数の貫通孔を有し、それぞれの該貫通孔に対して前記天板の下方から前記天板の上方に向けて前記ジョイントが挿通され、前記天板の下面には、前記ジョイントが取り付けられたベース金具が固定され、前記ジョイントの上端部に、前記表示装置が取り付けられていることを特徴としたものである。
【００１３】
第４の技術手段は、第１〜第３のいずれか１の技術手段において、前記ジョイントは、前記表示装置の水平方向に一致する方向に位置調整が可能に、前記ベース金具に取り付けられていることを特徴としたものである。
【００１４】
第５の技術手段は、第１〜第４のいずれか１の技術手段において、前記ジョイントを複数有し、前記ベース金具は、前記ジョイントのそれぞれに応じて複数備えられ、各前記ベース金具に対して、それぞれ前記ジョイントが取り付けられていることを特徴としたものである。
【００１５】
第６の技術手段は、第１〜第５のいずれか１の技術手段において、前記ジョイントは、前記天板に対する前記表示装置の高さを調整可能としたことを特徴としたものである。
【００１６】
第７の技術手段は、第１〜第６のいずれか１の技術手段において、前記ベース金具は、前記天板の下面から下方に曲折して、前記表示装置付机が設置される床面まで到達するように延伸され、さらに先端部が前記床面に沿って曲折され、前記床面に部分的に接触するように形成されていることを特徴としたものである。
【００１７】
第８の技術手段は、第７の技術手段において、前記ベース金具は、前記天板の下面から前記床面に沿って曲折される部分までの長さが調整可能であることを特徴としたものである。
【００１８】
第９の技術手段は、天板を有し、該天板の上面の一方の端部の所定位置に、表示装置の表示画面を前記天板の反対側の端部に向けて、前記表示装置を設置可能な机であって、  上端部に前記表示装置が取り付けられる１または複数のジョイントと、それぞれの該ジョイントを取り付ける平板状のベース金具とを有し、前記ベース金具は、前記天板に固定されていることを特徴としたものである。
【発明の効果】
【００１９】
本発明によれば、机上面の端部に表示装置を設置する構成において、机上面の作業領域を広く確保することができ、かつ机を壁際に設置したときに机と壁との間に不要な空間が生じないようすることができる表示装置付机および表示装置を設置可能な机を提供することができる。
【図面の簡単な説明】
【００２０】
【図１Ａ】第１の実施形態の表示装置付机を正面側斜方から見た全体斜視図である。
【図１Ｂ】第１の実施形態の表示装置付机の分解構成を背面側斜方から見た斜視図である。
【図１Ｃ】表示装置付机の天板上に取り付けられるベース金具とジョイントの概略拡大図である。
【図２】第１の実施形態のベース金具を天板１１に取り付けた様子を説明するための図である。
【図３Ａ】第２の実施形態の表示装置付机を正面側斜方から見た全体斜視図である。
【図３Ｂ】第２の実施形態の表示装置付机の分解構成を背面側斜方から見た斜視図である。
【図３Ｃ】第２の実施形態の表示装置付机の天板に取り付けられるとジョイントと、天板に設けられるスリット形状の貫通孔との関係を示す図である。
【図３Ｄ】第２の実施形態の表示装置付机の天板上に取り付けられるベース金具とジョイントの要部概略拡大図である。
【図４】実施形態２の変形例として、ジョイントに応じてベース金具を分離させた構造を示す図である。
【図５Ａ】第３の実施形態の表示装置付机を後方斜めから見た概略構成図である。
【図５Ｂ】第３の実施形態の表示装置付机を側方から見た概略構成図である。
【図６】第３の実施形態のベース金具の高さ調整を可能とした構成を説明するための概略図である。
【図７】第３の実施形態におけるベース金具の変形例を示す図である。
【発明を実施するための形態】
【００２１】
以下に本発明に係る実施形態を具体的に説明する。なお、以下の実施形態では、机の天板の上面の一方の端部に、表示画面を天板の反対側の端部に向けて、表示装置を設置した表示装置付机の構成例を説明するが、表示装置を設置可能な状態の机（学習机）も本発明に係る実施形態に含む。この場合、机は、天板の上面の一方の端部の所定位置に、表示画面を天板の反対側の端部に向けて、表示装置を設置可能な机として構成され、その机に対して、所定位置に表示装置を設置した際に、下記の実施形態に示すような機能を実現するものとする。
【００２２】
（実施形態１）
図１Ａ〜図１Ｃは、本発明の第１の実施形態における表示装置付机の外観構成例を示す図で、図１Ａは第１の実施形態の表示装置付机を正面側斜方から見た全体斜視図、図１Ｂは表示装置付机の分解構成を背面側斜方から見た斜視図、図１Ｃは、表示装置付机の天板上に取り付けられるベース金具とジョイントの概略拡大図である。
【００２３】
表示装置付机１は、机１０と、薄型の表示装置２０とが組み合わされて構成されている。表示装置２０は、ＦＰＤ（Flat Panel Display）を用いた薄型の表示装置で、例えば液晶表示パネルを使用した液晶表示装置として構成される。
表示装置２０は、机１０の矩形の天板１１の一方の端部に、表示装置２０の表示画面２１を天板１１の反対側の端部に向けて、天板１１の表面に設置されている。この例では、表示装置２０は、天板１１に対して垂直になるように設置されているが、この構成に限定されることなく、表示装置２０が天板１１に対して斜めになるように配置されていてもよい。また、表示装置２０と天板１１との角度が変更可能なチルト機構を設けて、適宜天板１１と表示装置２０との角度を設定できるようにしてもよい。以下は、表示装置２０が天板１１に対して垂直に設けられている構成を例として説明する。
視聴者は、通常、表示装置付机１の前面に座して、表示装置２０の表示画面２１を見ながら、机１０の天板１１を利用して学習等の作業を行うことができる。
【００２４】
天板１１の端部には、表示装置２０が取り付けられる。本実施形態では、天板１１の表面にベース金具３０が固定され、そのベース金具３０に対してジョイント３１が取り付けられる。そしてジョイントの上端部に表示装置２０が取り付けられる。
図１Ｃに示すように、本実施形態ではジョイント３１は、板状のベース金具３０に対して取り付けられる。ベース金具３０は、通常木製の天板１１上でジョイント３１を安定し保持するベース基材として機能する。
【００２５】
ここでベース金具３０には、スリット３２が設けられ、このスリット３２に対してジョイント３１がスリット３２の長手方向に移動可能に取り付けられる。スリット３２の長手方向は、ジョイント３１に取り付ける表示装置２０の水平方向（左右の幅方向）に一致している。またジョイント３１には、高さ方向に複数のジョイント孔（この例では４つ）３３が配列されていて、任意のジョイント孔３３を用いて表示装置２０を固定することにより、表示装置２０の天板１１に対する高さを調整することができる。
【００２６】
ここでは図１Ｂに示すように、ジョイント３１を表示装置２０に取り付ける際に、ジョイント３１の先端部を、表示装置２０の所定位置に設けられているジョイント取り付け孔に挿入し、これにより表示装置２０をジョイント３１により固定保持する。このときに表示装置２０の背面側に設けられた孔部２２からネジなどの固定具を差し込み、ジョイント３１に設けられたジョイント孔３３のいずれかに差し込んでネジ止めなどによって固定する。このときの固定具を差し込むジョイント孔３３の位置に応じて、天板１１に対する表示装置２０の高さを調整することができる。表示装置２０の高さを調整することで、ユーザのニーズに合わせることができる。また表示装置２０の下部に、冷却用の吸気孔が設けられている場合、上記高さ調整の機構により、表示装置２０と天板１１との間に、吸気用の間隙を確保することができる。
【００２７】
また、上記のようにジョイント３１は、天板１１に固定されているベース金具３０に対して、表示装置２０の水平方向に移動可能に設置されているため、ジョイント孔３３を差し込んで取り付けるためのジョイント取り付け孔の位置が異なる表示装置に対しても、ジョイント３１の位置を調整することにより一定範囲で対応が可能となる。
【００２８】
図２は、第１の実施形態のベース金具を天板１１に取り付けた様子を説明するための図で、ベース金具３０を取り付けた天板１１の表面部分を側方から見た概略構成を示すものである。本実施形態では、天板１１の上側表面にベース金具３０が配置されるため、ベース金具３０が目立たないように、ベース金具３０の取り付け領域に凹部１１ａを設け、その凹部１１ａの領域内にベース金具３０を配置する。凹部１１ａの深さは、例えばベース金具３０とジョイント３１の脚部３４とを合わせた高さにほぼ一致する程度とすることができる。
【００２９】
本実施形態の構成によれば、天板１１に取り付けたジョイント３１によって表示装置２０を固定するため、天板１１上の机上面の作業領域を広く確保することができ、天板１１の背面側に突出する構成部材がないため、表示装置付机１を壁際に設置したときに、表示装置付机１と壁との間に不要な空間が生じないようすることができる。
【００３０】
（実施形態２）
図３Ａ〜図３Ｄは、本発明の第２の実施形態における表示装置付机の外観構成例を示す図で、図３Ａは第２の実施形態の表示装置付机を正面側斜方から見た全体斜視図、図３Ｂは表示装置付机の分解構成を背面側斜方から見た斜視図、図３Ｃは、表示装置付机の天板に取り付けられるとジョイントと、天板に設けられるスリット形状の貫通孔との関係を示す図、図３Ｄは、表示装置付机の天板上に取り付けられるベース金具とジョイントの要部概略拡大図である。
実施形態１と同様に表示装置２０は、机１０の天板１１の端部に取り付けられている。表示装置２０は、机１０の矩形の天板１１の一方の端部に、表示装置２０の表示画面２１を天板１１の反対側の端部に向けて、天板１１の表面に対して垂直に設置されている。視聴者は、通常、表示装置付机１の前面に座して、表示装置２０の表示画面２１を見ながら、机１０の天板１１を利用して学習等の作業を行うことができる。
【００３１】
本実施形態では、実施形態１と同様に、ベース金具３０に対して表示装置２０を固定するためのジョイント３１が取り付けられるが、実施形態１と異なりベース金具３０は、天板１１の下面側に固定される。
【００３２】
図３Ｄに示すように、ジョイント３１は、板状のベース金具３０に対しして取り付けられる。ベース金具３０は、天板１１の下面に固定され、ジョイント３１を安定し保持するベース基材として機能する。
【００３３】
ベース金具３０には、実施形態１と同様にスリット３２が設けられ、このスリット３２に対してジョイント３１がスリット３２の長手方向に移動可能に取り付けられる。スリット３２の長手方向は、ジョイント３１に取り付ける表示装置２０の水平方向（左右の幅方向）に一致している。またジョイント３１には、高さ方向に複数のジョイント孔（この例では４つ）３３が配列されていて、任意のジョイント孔３３を用いて表示装置２０を固定することにより、表示装置２０の天板１１に対する高さを調整することができる。
【００３４】
図３Ｂおよび図３Ｃに示すように、天板１１には、表示装置２０を取り付けるためのジョイント３１が挿通されるスリット形状の貫通孔（スリット孔）１２が設けられている。この例では、スリット形状の貫通孔１２は、表示装置２０の幅方向（水平方向）に２箇所設けられている。また貫通孔１２のスリットの長さは、ベース金具３０に設けられたスリット３２の長さに対応するように設定される。貫通孔１２は、表示装置２０のジョイト取り付け穴の数や位置に応じて、その数や位置を適応させることができる。
【００３５】
ベース金具３０は、貫通孔１２を含む領域の天板１１の下面に取り付けられ、固定される。ベース金具３０に取り付けられているジョイント３１の取り付け位置は、天板１１に設けられた貫通孔１２の位置に一致している。
従って本実施形態の場合には、２つの貫通孔１２の位置に応じて、２つのジョイント３１がベース金具３０に取り付けられている。そしてベース金具３０を天板１１の下面の所定位置に固定することにより、ジョイント３１が下方から貫通孔１２に挿通され、ジョイント３１の先端が天板１１の上面側に突出する。天板１１の下面に対するベース金具３０の固定は、ビス止めなどの任意の手法を用いることができる。
【００３６】
そして図３Ｂに示すように、天板１１の表面から突出したジョイント３１の先端部を、表示装置２０の所定位置に設けられているジョイント取り付け孔に挿入し、これにより表示装置２０をジョイント３１により固定保持する。このときに表示装置２０の背面側に設けられた孔部２２からネジなどの固定具を差し込み、ジョイント３１に設けられたジョイント孔３３のいずれかに差し込んでネジ止めなどによって固定する。このときの固定具を差し込むジョイント孔３３の位置に応じて、天板１１に対する表示装置２０の高さを調整することができる。表示装置２０の高さを調整することで、ユーザのニーズに合わせることができる。また表示装置２０の下部に、冷却用の吸気孔が設けられている場合、上記高さ調整の機構により、表示装置２０と天板１１との間に、吸気用の間隙を確保することができる。
【００３７】
また、上記のようにジョイント３１は、天板１１に固定されているベース金具３０に対して、表示装置２０の水平方向に移動可能に設置されているため、ジョイント孔３３を差し込んで取り付けるためのジョイント取り付け孔の位置が異なる表示装置に対しても、ジョイント３１の位置を調整することにより一定範囲で対応が可能となる。
【００３８】
本実施形態では、ベース金具３０は、天板１１の下面に取り付けられ、複数のジョイント３１を設けた一体的な構成になっているため、表示装置２０を安定して固定することができる。例えば、ベース金具３０の大きさを大きくし、表示装置２０の正面側前方に長く延伸させることで、机上の作業性等を阻害することなく、表示装置２０の安定性を増すことができる。特に表示装置２０を前後に倒すような応力がかかった場合にも、その応力に抗して表示装置２０を安定保持させることができる。
【００３９】
図４は、実施形態２の変形例として、ジョイント３１に応じてベース金具３０を分離させた構造を示す図である。
上記図３Ｂ〜図３Ｄの例では、ベース金具３０は、複数のジョイント３１を取り付けた一体の板状部材により形成されている。これに対して図４に示すように、ベース金具３０を分離構造とし、ジョイント３１の数に応じて所定の大きさの複数のベース金具３０を用意し、各ベース金具３０に対して１つのジョイント３１を取り付ける。各ジョイント３１を天板１１に取り付ける構成は、図３Ｂ〜図３Ｄと同様とする。すなわち、天板１１にスリット状の貫通孔１２を設け、各ジョイント３１を下方から貫通孔１２に挿通させて天板の上面側に突出させる。各ベース金具３０は、天板１１の下面に固定される。天板１１の上面側に突出したジョイント３１の上端部には、表示装置２０が取り付けられる。こうして、ベース金具３０を分離した構造により、ベース金具３０を一体に形成した構造と同様に表示装置２０を天板１１上に取り付けることができる。ベース金具３０を分離させた構造をとることにより、ベース金具の材料を削減して簡素化することができる。
【００４０】
本実施形態の構成によれば、天板１１の下面に固定したベース金具３０の取り付けられたジョイント３１によって表示装置２０を固定するため、天板１１上の机上面の作業領域を広く確保することができ、天板１１の背面側に突出する構成部材がないため、表示装置付机１を壁際に設置したときに、表示装置付机１と壁との間に不要な空間が生じないようすることができる。
【００４１】
（実施形態３）
図５Ａおよび図５Ｂは、本発明の第３の実施形態における表示装置付机の構成を設説明する図で、図５Ａは第３の実施形態の表示装置付机を後方斜めから見た概略構成図、図５Ｂは表示装置付机を側方から見た概略構成図である。
【００４２】
本実施形態は、実施形態２の構成で天板１１の下面に固定したベース金具３０を下方に延伸し、床面まで届くようにして転倒防止機能を付与したものである。すなわち本実施形態のベース金具３０は、天板１１の後方端部で天板１１の下面から下方に曲折し、表示装置付机１が設置される床面４０まで到達するように延伸され、さら延伸されたベース金具３０の先端部が床面４０に沿って曲折され、床面４０に部分的に接触するように形成されている。これにより、ベース金具３０は、全体にコの字型に形成される。
ベース金具３０の上部には、実施形態２と同様にジョイント３１が取り付けられ、天板１１に形成された貫通孔を通してジョイント３１が天板１１の上方に突出する。そして上方に突出したジョイント３１の上端部に表示装置２０が取り付けられている。
【００４３】
本実施形態では、ジョイント３１を取り付けるベース金具３０が曲折されて床面４０まで届き床面４０で保持されるため、表示装置２０を安定して固定することができる。例えば表示装置２０を前後に倒すような応力がかかった場合にも、ベース金具３０が床面４０に支えられて安定するため、その応力に抗して表示装置２０を安定保持させることができる。
【００４４】
図６は、上記のベース金具３０の高さ調整を可能とした構成を説明するための概略図で、ベース金具を側方から見た図である。ここではベース金具３０に取り付けられるジョイント３１の図示は省略している。上記図５Ａおよび図５Ｂのベース金具３０は、断面がコの字型の一体的な部材より形成されているが、図６の構成では、このベース金具３０を高さ方向にその長さを調整可能にする。ここではベース金具３０は、天板１１の下面から床面に沿って曲折される部分までの長さＬが調整可能である。
【００４５】
図６の構成例では、ベース金具３０を二つの部材３０ａ，３０ｂにより構成し、互いに上下方向にスライド可能として構成する。二つの部材３０ａ，３０ｂは、例えば図示しないビスなどにより固定できるようになっていて、その固定位置を高さ方向で変更できるようになっている。すなわち二つの部材３０ａ、３０ｂを互いに上下方向にスライドさせて任意の位置で固定することにより、天板の下面から床面までの長さＬの調整が可能となる。
本構成例のように、ベース金具３０の高さ調整を可能とすることで、床面から天板までの高さが異なる机にベース金具３０を適用する場合に、適切に転倒防止機能を付与することができる。また、机自体の高さ調整が可能なものもあり、この場合にも、机の高さ調整に応じて、ベース金具３０の高さを調整することができる。
【００４６】
図７は、第３の実施形態におけるベース金具の変形例を示す図である。
本例のベース金具３０は、天板１１の下面に固定したベース金具３０を下方に延伸し、机の高さ方向の途中でベース金具３０を左右（表示装置２０の水平方向）に広げて、天板１１の後ろ側に設けられている２本の脚１３に接続させ、固定する。これによりベース金具３０の固定安定性を増すことができる。ベース金具３０の固定安定性が向上することにより、例えば表示装置２０を前後に倒すような応力がかかった場合にも、ベース金具３０の安定性が高いため、その応力に抗して表示装置２０を安定保持させることができる。
【００４７】
上記の各実施形態で記載されている技術的特徴（構成要件）は、お互いに組み合わせ可能であり、組み合わせることにより、新しい技術的特徴を形成することができる。
【符号の説明】
【００４８】
１…表示装置付机、１０…机、１１…天板、１１ａ…凹部、１２…貫通孔、１３…脚、２０…表示装置、２１…表示画面、２２…孔部、３０…ベース金具、３０ａ，３０ｂ…部材、３１…ジョイント、３２…ス  リット、３３…ジョイント孔、３４…脚部、４０…床面。
【図１Ａ】
2017042502.tif 000003
【図１Ｂ】
2017042502.tif 000004
【図１Ｃ】
2017042502.tif 000005
【図２】
2017042502.tif 000006
【図３Ａ】
2017042502.tif 000007
【図３Ｂ】
2017042502.tif 000008
【図３Ｃ】
2017042502.tif 000009
【図３Ｄ】
2017042502.tif 000010
【図４】
2017042502.tif 000011
【図５Ａ】
2017042502.tif 000012
【図５Ｂ】
2017042502.tif 000013
【図６】
2017042502.tif 000014
【図７】
2017042502.tif 000015